(57)【特許請求の範囲】
【請求項１】
撮影手段により得られる撮影画像を編集して出力する画像処理装置であって、
互いに異なる複数の編集ツールを表示するための２つの領域である第１の領域および第２の領域を含む２つの操作画面を表示するとともに利用者による入力操作を受け付ける、利用者が前記撮影画像に対する編集操作を行うための表示部と、
前記表示部に対する入力操作を行うための第１のタッチペンおよび第２のタッチペンを含む入力操作手段と、
前記表示部および前記入力操作手段を制御する制御手段と
を備え、
各操作画面は、前記第１のタッチペンまたは前記第２のタッチペンのうちの一方のタッチペンに対応付けられており、
各操作画面には、複数の種類選択ボタンが表示され、
前記制御手段は、
各操作画面では、当該各操作画面に対応付けられているタッチペンでの前記複数の種類選択ボタンに対する選択を許可し、
前記複数の種類選択ボタンのうちのいずれかが選択されると、前記表示部に対して、その選択が行われた操作画面において、前記第１の領域に表示中の複数の編集ツールを変更することなくその選択された種類選択ボタンに対応する複数の編集ツールを前記第２の領域に表示させ、
前記第１の領域には、ペンの種類を指示するための複数の編集ツールが表示され、
前記第２の領域には、前記第１の領域に表示される複数の編集ツールとは異なる編集機能を有する編集ツールが少なくとも表示され、
前記撮影画像が編集可能に表示されている間、前記第１の領域には、ペンの種類を指示するための複数の編集ツールが常に表示されることを特徴とする、画像処理装置。
【請求項２】
互いに異なる複数の編集ツールを表示するための２つの領域である第１の領域および第２の領域を含む２つの操作画面を表示するとともに利用者による入力操作を受け付ける、利用者が撮影画像に対する編集操作を行うための表示部と、前記表示部に対する入力操作を行うための第１のタッチペンおよび第２のタッチペンを含む入力操作手段とを備える画像処理装置における画像処理方法であって、
前記撮影画像を取得する撮影ステップと、
前記表示部および前記入力操作手段を制御する制御ステップと
を含み、
各操作画面は、前記第１のタッチペンまたは前記第２のタッチペンのうちの一方のタッチペンに対応付けられており、
各操作画面には、複数の種類選択ボタンが表示され、
前記制御ステップでは、
各操作画面では、当該各操作画面に対応付けられているタッチペンでの前記複数の種類選択ボタンに対する選択を許可し、
前記複数の種類選択ボタンのうちのいずれかが選択されると、前記表示部に対して、その選択が行われた操作画面において、前記第１の領域に表示中の複数の編集ツールを変更することなくその選択された種類選択ボタンに対応する複数の編集ツールを前記第２の領域に表示させ、
前記第１の領域には、ペンの種類を指示するための複数の編集ツールが表示され、
前記第２の領域には、前記第１の領域に表示される複数の編集ツールとは異なる編集機能を有する編集ツールが少なくとも表示され、
前記撮影画像が編集可能に表示されている間、前記第１の領域には、ペンの種類を指示するための複数の編集ツールが常に表示されることを特徴とする、画像処理方法。
【請求項３】
互いに異なる複数の編集ツールを表示するための２つの領域である第１の領域および第２の領域を含む２つの操作画面を表示するとともに利用者による入力操作を受け付ける、利用者が撮影画像に対する編集操作を行うための表示部と、前記表示部に対する入力操作を行うための第１のタッチペンおよび第２のタッチペンを含む入力操作手段とを備える画像処理装置で実行される画像処理プログラムであって、
前記撮影画像を取得する撮影ステップと、
前記表示部および前記入力操作手段を制御する制御ステップと
を含み、
各操作画面は、前記第１のタッチペンまたは前記第２のタッチペンのうちの一方のタッチペンに対応付けられており、
各操作画面には、複数の種類選択ボタンが表示され、
前記制御ステップでは、
各操作画面では、当該各操作画面に対応付けられているタッチペンでの前記複数の種類選択ボタンに対する選択を許可し、
前記複数の種類選択ボタンのうちのいずれかが選択されると、前記表示部に対して、その選択が行われた操作画面において、前記第１の領域に表示中の複数の編集ツールを変更することなくその選択された種類選択ボタンに対応する複数の編集ツールを前記第２の領域に表示させ、
前記第１の領域には、ペンの種類を指示するための複数の編集ツールが表示され、
前記第２の領域には、前記第１の領域に表示される複数の編集ツールとは異なる編集機能を有する編集ツールが少なくとも表示され、
前記撮影画像が編集可能に表示されている間、前記第１の領域には、ペンの種類を指示するための複数の編集ツールが常に表示されることを特徴とする、画像処理プログラム。
【発明の詳細な説明】
【技術分野】
【０００１】
本発明は、画像処理装置、画像処理方法、および画像処理プログラムに関し、さらに詳しくは、利用者をカメラで撮影し、その撮影画像に基づき生成される合成画像を写真等として出力する画像処理装置、画像処理方法、および画像処理プログラムに関する。
【背景技術】
【０００２】
従来、利用者をカメラで撮影し、その撮影画像を写真シールや写真カード等として出力する遊戯用写真作成装置が知られている。このような遊戯用写真作成装置は、遊戯性または娯楽性が高いことから、撮影画像と合成すべき画像を、利用者の嗜好に応じて、予め用意された多種多様な背景画像および前景画像（特にフレーム画像）から選択したり、タッチペンを用いて利用者が自由に描いたりできるように構成されているものが多い。利用者によるこのような操作は、撮影画像に対してなされるため、「落書き」と呼ばれる。
【０００３】
また、このような遊戯用写真作成装置は、複数の利用者によって使用されることが多いので、複数の利用者のそれぞれが操作する操作画面が提供できるように構成されている（例えば特許文献１参照）。このような遊戯用写真作成装置では、２人の利用者によってプレイされることが多く、この場合、撮影画像に対する上記落書きは２人の利用者によって同時に行われる。このため、遊戯用写真作成装置における落書きのための編集ユニットの操作用表示手段としての１つのタッチパネルには、通常、２つの操作画面が表示され、それに対応する２つのタッチペン等の操作手段がそのタッチパネル近傍に設けられている。
【０００４】
上記遊戯用写真作成装置に備えられるタッチペンは、操作画面上に落書きとしての文字や絵を描くために使用されるほか、各種メニューの選択、例えばフレーム画像やスタンプ画像の選択などにも使用される。したがって、利用者はタッチペンを例えば利き手で把持し、文字や絵を描き、スタンプ画像やフレーム画像を選択し、また文字や絵を描くといった操作を繰り返すことになる。
【先行技術文献】
【特許文献】
【０００５】
【特許文献１】特開２００７−６７５６５号公報
【発明の概要】
【発明が解決しようとする課題】
【０００６】
以上のように文字や絵を描いたり、所定の画像を選択する操作を繰り返すことは、利用者にとって、楽しく感じられるものであって煩瑣なものではないが、文字や絵を描いている途中でスタンプ画像などの選択操作を行うと、中断した文字や絵を描き始めるときに以前のペン設定（ペンの太さや色など）に戻せなくなったり、戻すことが煩瑣であることがある。
【０００７】
すなわち、選択可能なペンの設定、スタンプ画像、およびフレーム画像などは、装置の遊戯性を高めるために一般的には多数が用意されており、これらは例えばパレットの内容をタブ等で切り替えられることにより部分的に利用者に提示される。そのため利用者は、例えば所望の内容のペン設定を選択して（文字や絵などの）落書き中に、パレットをタブ等で切り替えて所定画像の選択を行い、その後に以前の所望のペン設定を選択しようとするときには、ペン設定用のパレット内容となるようタブ等で切り替え、さらに上記所望のペン設定を探して選択する操作を行わなければならなくない。このような操作は、利用者にとって煩瑣を強いられることになるとも言える。また、その設定内容自体を失念した場合には以前のペン設定に戻すことが困難となる。
【０００８】
そこで、本発明では、所望のペン設定などを容易に選択できるととともに、以前に一度選択したペン設定などに容易に戻すことができる遊戯用撮影装置、遊戯用撮影方法、および遊戯用撮影プログラムを提供することを目的とする。
【課題を解決するための手段】
【０００９】
本発明は、撮影手段により得られる撮影画像を編集して出力する画像処理装置に関するものである。画像処理装置は、互いに異なる複数の編集ツールを表示するための２つの領域（第１の領域および第２の領域）を含む２つの操作画面を表示するとともに利用者による入力操作を受け付ける表示部と、表示部に対する入力操作を行うための第１のタッチペンおよび第２のタッチペンを含む入力操作手段と、表示部および入力操作手段を制御する制御手段とを備える。各操作画面は、第１または第２のタッチペンの一方に対応付けられている。各操作画面には、複数の種類選択ボタンが表示される。制御手段は、各操作画面では、当該各操作画面に対応付けられているタッチペンでの複数の種類選択ボタンに対する選択を許可する。制御手段は、また、複数の種類選択ボタンのうちのいずれかが選択されると、表示部に対して、その選択が行われた操作画面において、第１の領域に表示中の複数の編集ツールを変更することなくその選択された種類選択ボタンに対応する複数の編集ツールを第２の領域に表示させる。ここで、第１の領域には、ペンの種類を指示するための複数の編集ツールが表示され、第２の領域には、第１の領域に表示される複数の編集ツールとは異なる編集機能を有する編集ツールが少なくとも表示される。また、撮影画像が編集可能に表示されている間、第１の領域には、ペンの種類を指示するための複数の編集ツールが常に表示される。
【発明の効果】
【００１０】
上記本発明によれば、入力操作手段の軌跡に応じて描かれるべき線の種類に応じた複数の選択可能領域のみを含む専用パレット領域と、当該専用パレット領域と異なる通常パレット領域とを含む複数のパレット領域が設けられるので、専用パレット領域において所望のペン設定を容易に選択できるととともに、通常パレット領域に対する操作入力を行っても専用パレット領域には影響が及ばないため、以前に一度選択したペン設定に容易に戻すことができる。
【図面の簡単な説明】
【００１１】
【図１】本発明の一実施形態に係る自動写真作成装置である遊戯用写真作成装置の外観を示す図である。
【図２】上記実施形態における撮影ユニットの正面図である。
【図３】上記実施形態における編集ユニットの正面図である。
【図４】上記実施形態における出力ユニットの正面図である。
【図５】上記実施形態における撮影操作用タッチパネルの表示構成を示す模式図である。
【図６】上記実施形態に係る遊戯用写真作成装置の要部を機能面から見た構成を示すブロック図である。
【図７】上記実施形態における撮影処理の手順を示すフローチャートである。
【図８】上記実施形態における編集処理の手順を示すフローチャートである。
【図９】上記編集処理における左操作画面処理の手順を示すフローチャートである。
【図１０】上記実施形態における落書き画面の表示例を示す模式図である。
【図１１】上記実施形態におけるパレット領域において選択された選択ツールを識別する表示例を示す模式図である。
【図１２】上記実施形態におけるパレット領域において選択された選択ツールを識別する表示の別例を示す模式図である。
【図１３】上記実施形態におけるパレット領域において選択された選択ツールを識別する表示のさらなる別例を示す模式図である。
【図１４】上記実施形態において、落書き領域内に配置された後に落書きペンを使用することが定型的に予定されているフレーム画像例を示す模式図である。
【図１５】上記実施形態において、異なるタブに切り替えた場合の識別表示の一例を示す模式図である。
【発明を実施するための形態】
【００１２】
以下、添付図面を参照しつつ本発明の一実施形態について説明する。
＜１．全体構成＞
図１は、本発明の一実施形態に係る自動写真作成装置である遊戯用写真作成装置の外観を示す図である。より詳細には、図１（ａ）は、この遊戯用写真作成装置を横から見た外観側面図であり、図１（ｂ）は、上から見た外観平面図である。この遊戯用写真作成装置は、利用者が入る撮影室２と、利用者を撮影し背景画像および前景画像の選択を受け付ける撮影ユニット３と、利用者による落書き（描画操作）を含む編集操作を受け付け撮影画像に合成した合成画像を生成する編集ユニット４と、合成画像を出力する出力ユニット５とを備えている。図２は、撮影ユニット３の正面図であり、図３は、編集ユニット４の正面図であり、図４は、出力ユニット５の正面図である。以下、図１から図４を参照しつつ、本実施形態に係る遊戯用写真作成装置の全体構成について説明する。
【００１３】
撮影室２は、略直方体形状であって、撮影ユニット３は、内部に入る利用者から見て前の面である撮影室２の前面に沿って配置されている。なお、撮影室２の左右両側面の一部には、それぞれ利用者が出入りするための開口部と、当該開口部の一部または全部を覆う遮光カーテンとが設けられている。また、撮影室２の内部に入る利用者から見て後ろの面である背面には電動ロールカーテン装置２５が配置されている。
【００１４】
撮影ユニット３は、利用者を撮影する撮像手段としてのカメラ１０と、当該カメラ１０の上下左右の位置に配置され閃光を発するストロボ１１、１２、１３Ｌ、１３Ｒ、１４と、当該カメラ１０の下方に配置され利用者からの操作の受け付けや撮影画像の表示等を行う撮影操作用タッチパネル２０とを備えている。
【００１５】
カメラ１０は、典型的には、ＣＣＤ（電荷結合素子）を利用してデジタル画像信号を生成するデジタルカメラであって、利用者を撮影し、その撮影画像を表す画像信号を出力する。ストロボ１１〜１４は、撮影のための充分な光を得るために利用者に向かって閃光を発する。撮影操作用タッチパネル２０は、撮影の際に利用者による各種操作を受け付けるための操作画面を提供するとともに、上記画像信号に基づく画像をリアルタイムで表示するように構成されている。
【００１６】
図５は、撮影操作用タッチパネル２０の表示構成を示す模式図である。図５に示すように、撮影操作用タッチパネル２０には、リアルタイムで撮影画像を表示するためのリアルタイムプレビュー領域２０１と、ポーズの見本を表示するためのポーズ見本表示領域２０２と、撮影によって得られる落書き対象画像を表示するための落書き対象画像表示領域２０３とが含まれている。
【００１７】
また撮影ユニット３は、コンピュータを中心に構成され各部の制御等を行う制御装置、Ｉ／Ｏ制御装置、および編集ユニット４と通信を行うためのネットワークアダプタ等を内蔵している。また、撮影ユニット３は、前面下方にコイン投入口２６を備えている。
【００１８】
編集ユニット４は、撮影ユニット３と同様のコンピュータを中心に構成され各部の制御等を行う制御装置、および撮影ユニット３等と通信を行うためのネットワークアダプタ等を内蔵している。また、編集ユニット４は、図１（ｂ）に示すように、２組の利用者がプレイ可能なように２つのユニット４ａ、４ｂに分かれている。そのうちの一方のユニット４ａには、落書き領域や落書きのためのメニュー、ツール等を表示する領域を含みＧＵＩ（Graphical User Interface）表示手段として機能する編集操作用タッチパネル４００と、当該編集操作用タッチパネル４００に対する操作に使用されるポインティングデバイスとしての４つのタッチペン４９Ｌ１、４９Ｌ２、４９Ｒ１、４９Ｒ２とが設けられている。なお、他方のユニット４ｂについても同様の構成となっている。ここで図１（ａ）において手前に見えるユニット４ａを「落書きブースＡ」と呼び、その反対側（図では裏側）のユニット４ｂを「落書きブースＢ」と呼ぶ。
【００１９】
本実施形態における編集操作用タッチパネル４００は、各ユニット４ａ、４ｂにおいて典型的にはそれぞれ２人の利用者が同時に落書きを行えるような表示構成となっている。なお、本説明においては、左側の利用者が使用する構成要素には「Ｌ」を含む参照符号を付し、右側の利用者が使用する構成要素には「Ｒ」を含む参照符号を付している。
【００２０】
また、本実施形態における編集操作用タッチパネル４００に表示される表示画面は、典型的には２人の利用者の操作に適するよう、左右に２分割されて表示されている。以下では、この表示画面のうちの左側の操作画面を左操作画面といい、右側の操作画面を右操作画面という。
【００２１】
さらに、編集操作用タッチパネル４００は、４つのタッチペン４９Ｌ１、４９Ｌ２、４９Ｒ１、４９Ｒ２による操作位置を同時に検出可能に構成されており、かつ、検出される各操作位置が、４９Ｌ１、４９Ｌ２、４９Ｒ１、４９Ｒ２のうちのいずれの操作に対応するのかも検出可能となっている。例えば、編集操作用タッチパネル４００として静電容量方式のタッチパネルを使用した場合には、このような複数の操作位置の同時検出と操作されたタッチペンの識別とが可能である。
【００２２】
ただし後述するように、左操作画面用の２つのタッチペン（以下「左画面用ペン」という）４９Ｌ１、４９Ｌ２、または右操作画面用の２つのタッチペン（以下「右画面用ペン」という）４９Ｒ１、４９Ｒ２は、それぞれが同時に使用（入力操作）できないように、すなわち先にアクティブとなり（先に操作入力が受け付けられ）継続的にアクティブとなっているタッチペンのみが操作入力可能となるように制御されている。したがって、画面からタッチペンを離せば当該タッチペンはアクティブでなくなる。
【００２３】
出力ユニット５は、図４に示すように、典型的には携帯電話端末に内蔵される赤外線通信ポートにより、例えばデコメール（登録商標）画像等の素材画像や撮影画像に落書きをした合成画像などを利用者の携帯電話端末に転送する際に利用者によって操作される出力操作用タッチパネル３０と、出力操作用タッチパネル３０の下方に配置され上記素材画像等を赤外線信号として携帯電話端末に向けて直接送信するための赤外線通信ポート（非接触通信ポート）３１と、上記通信の際に必要な操作方法や効果音などを音声によって利用者に知らせるスピーカ３２とを備えている。また、出力ユニット５は、前面下方に、編集ユニット４で編集操作が行われた合成画像を印刷した写真シールや写真カード等を取り出す取出口３３を備えている。
【００２４】
出力操作用タッチパネル３０は、利用者が合成画像を印刷された写真シールを携帯電話端末でも見たい場合に、上記赤外線通信機能（またはその他の近接無線通信機能）を備えた携帯電話端末に送信するのに必要な各種操作を受け付けるための操作画面を提供するように構成されていている。
【００２５】
このような出力ユニット５も、撮影ユニット３と同様のコンピュータを中心に構成され各部の制御等を行う制御装置および編集ユニット４等と通信を行うためのネットワークアダプタ等を内蔵しているほか、合成画像を写真シール等として印刷するネットワークプリンタ３５を備えている。
【００２６】
以上のような構成において、利用者は、撮影室２において撮影を行った後、編集ユニット４の落書きブースＡまたは落書きブースＢの編集操作用タッチパネル４００を使用することにより、撮影画像に基づいて生成された落書き対象画像に対して落書きを行う。そして、利用者は、落書きによって生成された合成画像をネットワークプリンタによって印刷したり、赤外線通信機能を有する携帯電話端末に画像を送信し、携帯電話端末で受信した画像を端末画面に表示させたりする。
【００２７】
＜２．機能的構成＞
図６は、本実施形態に係る遊戯用写真作成装置の要部を機能面から見た構成を示すブロック図である。図６に示されるようにこの遊戯用写真作成装置は、機能的には、主として利用者を撮影する処理（撮影処理）を行うための撮影処理部７と、主として落書き対象画像に対する利用者の落書き操作に応じて当該落書き対象画像の編集処理を行うための編集処理部８と、編集処理が行われた落書き対象画像を写真シール等として出力したり、赤外線通信を利用して携帯電話端末に出力したりする処理（出力処理）を行う出力処理部９とから構成されている。
【００２８】
撮影処理部７は、第１の制御部７０と、撮像部７１と、第１の表示・操作部７２と、Ｉ／Ｏ制御部７３と、照明部７４と、第１の通信部７５とによって構成されている。編集処理部８は、第２の制御部８０と、第２の表示・操作部８１、８２と、第２の通信部８３とによって構成されている。出力処理部９は、第３の制御部９０と、第３の表示・操作部９１と、印刷出力部９２と、音声出力部９３と、非接触通信部９４と、第３の通信部９５とによって構成されている。ネットワークアダプタである第１、第２および第３の通信部７５、８３、９５は、ＬＡＮ（Local Area Network）であるネットワーク６を介してそれぞれ相互に通信可能となっている。
【００２９】
撮像部７１は、ＣＣＤ等の撮像素子を用いて構成されるカメラ１０に相当し、リアルタイムに画像を取り込んで当該画像（撮影画像）を表す画像信号を出力する。この画像信号は第１の制御部７０に入力されて、その内部のメモリに撮影画像データとして一時的に記憶される。また、この撮影画像データは撮影画像信号として第１の制御部７０から第１の表示・操作部７２に供給され、当該撮影画像信号に基づく撮影画像がリアルタイムに表示される。
【００３０】
第１の表示・操作部７２は、撮影操作用タッチパネル２０に相当し、撮影画像に合成されるべき背景画像および前景画像を選択する操作や、出力されるべき写真のレイアウトを決定するための利用者の操作やシャッター操作等を受け付ける。これらの操作を示す信号は、操作信号として第１の制御部７０に入力される。ここで、利用者を撮影するための（選択された撮影メニューに対応する）所定の処理が開始されると、第１の表示・操作部７２に利用者のための案内が表示され、その後の第１の制御部７０からの指示に基づき、数秒程度の予め決められた時間の経過後にカメラ１０の撮影方向にストロボ１１〜１４から閃光が放たれる。そのとき、利用者の撮影画像を表す信号として撮像部７１から出力される画像信号が第１の制御部７０に入力され、第１の制御部７０内のメモリまたは補助記憶装置としてのハードディスク装置等に撮影画像データとして格納される。
【００３１】
照明部７４は、カメラ１０の上下左右の位置に配置されたストロボ１１、１２、１３Ｌ、１３Ｒ、１４に相当し、第１の制御部７０からの指示に基づきＩ／Ｏ制御部７３によって点灯／消灯および調光が制御される。Ｉ／Ｏ制御部７３は、撮影ユニット３に内蔵されるＩ／Ｏ制御装置に相当し、第１の制御部７０からの指示に基づき、照明部７４を制御する。また、後述のコイン検出部（不図示）からの検出信号等の入力信号を第１の制御部７０へ転送する。第１の通信部７５は、撮影ユニット３に内蔵されるネットワークアダプタに相当し、ネットワーク６を介したデータ送受信の際のインタフェースとして機能する。
【００３２】
第１の制御部７０は、撮影ユニット３に内蔵され、ＣＰＵ、メモリ、フレームバッファ、タイマー、補助記憶装置等を含むコンピュータを中心に構成される制御装置に相当し、内部メモリに格納された所定プログラムをＣＰＵが実行することにより、上述のようにして入力される操作信号等に基づき各部を制御するために、上述のように各部に指示を出す。また撮影された画像に基づいて落書き対象画像を生成する。生成された落書き対象画像はフレームバッファに書き込まれることにより、第１の表示・操作部７２に表示される。さらに、第１の制御部７０は、落書き対象画像に所定の背景画像や前景画像を描画した画像である合成画像を生成する。生成された合成画像はフレームバッファに書き込まれることにより第１の表示・操作部７２に表示される。こうして撮影および合成画像の生成が終了すると、生成された合成画像は利用者の入力操作に応じて適宜選択された後、第１の通信部７５を介して、編集ユニット４に対応する第２の制御部８０へ送られる。
【００３３】
上記の構成要素の他、撮影ユニット３におけるコイン投入口２６に投入されたコインを検出するためのコイン検出部（不図示）が更に撮影ユニット３に設けられており、第１の制御部７０は、コイン検出部での検出結果に基づき、利用者に所定時間だけ撮影や背景画像および前景画像の選択や落書き等、本遊戯用写真作成装置によるプレイを許容するように各部を制御する。このコイン検出部による検出動作やその検出結果に基づく第１の制御部７０による制御動作は、従来の遊戯用写真作成装置と同様であって周知であるので、その詳しい説明を省略する。
【００３４】
第２の制御部８０は、編集ユニット４に内蔵され、ＣＰＵ、メモリ、フレームバッファ、および補助記憶装置等を含むコンピュータを中心に構成される制御装置に相当し、内部メモリに格納された所定プログラムをＣＰＵが実行することにより、編集処理に関する全体の制御を行う。また、第２の制御部８０は、第１の制御部７０から送られてきた撮影画像に対する落書き処理を行うための操作信号に基づき、落書き対象画像に所定画像を描画した画像である合成画像を生成する。生成された合成画像は利用者の指示に応じて対応する第２の表示・操作部８１、８２に表示される。上記のような合成画像の生成が終了すると、当該合成画像は出力ユニット５に送られる。なお、印刷出力部９２が別の合成画像を出力中である場合には、その旨が表示されるとともに終了を待って送られる。
【００３５】
第２の表示・操作部８１、８２は、落書きのためのＧＵＩ表示手段として機能する編集操作用タッチパネル４００に相当し、タッチペンを用いた利用者の操作を受け付ける。第２の通信部８３は、編集ユニット４に内蔵されるネットワークアダプタに相当し、ネットワーク６を介したデータ送受信の際のインタフェースとして機能する。
【００３６】
第３の制御部９０は、出力ユニット５に内蔵され、ＣＰＵ、メモリ、フレームバッファ、タイマー、および補助記憶装置等を含むコンピュータを中心に構成される制御装置に相当し、内部メモリに格納された所定プログラムをＣＰＵが実行することにより、出力処理に関する全体の制御を行う。第３の制御部９０は、第２の制御部８０から送られてきた合成画像を合成画像データとしてメモリに格納する。印刷出力部９２は出力ユニットに内蔵されるネットワークプリンタ３５に相当し、メモリに格納された複数の合成画像データを（適宜にレイアウトした）写真シール（または写真カード）として印刷する。印刷された写真シール等は、出力ユニット５の正面下方に設けられた取出口３３から取り出される。
【００３７】
また、第３の制御部９０は、編集ユニット４から送られてきた合成画像に基づいて写真シール等の印刷処理を開始すると同時に、利用者が作成した合成画像のデータを携帯電話端末にダウンロードできるように、利用者の入力操作を受け付けるための操作画面を第３の表示・操作部９１に表示する。この第３の表示・操作部９１は出力操作用タッチパネル３０に相当し、受け付けた入力操作を操作信号として第３の制御部９０に入力する入力手段として機能する。
【００３８】
第３の制御部９０は、入力された操作信号に基づき、利用者の携帯電話端末に画像データを送信するように非接触通信部９４に対して指示を出す。非接触通信部９４は赤外線通信ポート３１に相当する。上記画像データは、非接触通信部９４から非接触通信方式の赤外線信号として利用者の携帯電話端末に直接送信される。第３の通信部９５は、出力ユニット５に内蔵されるネットワークアダプタに相当し、ネットワーク６を介したデータ送受信の際のインタフェースとして機能する。
【００３９】
ここで、第３の制御部９０は、上記入力操作が行われていない間、補助記憶装置に予め記憶されているデモ画像（デモンストレーション用の画像）やミニゲームの画像等をフレームバッファに書き込むことにより第３の表示・操作部９１に表示する。また音声出力部９３は、スピーカ３２に相当する。音声出力部９３は、第３の表示・操作部９１に表示される操作画面と連動して入力操作方法を利用者に説明し、また第３の表示・操作部９１にデモ画像やミニゲームが表示されているときに楽曲や効果音等を流す。
【００４０】
ここで、各制御装置において実行される上記所定プログラムは、例えば、そのプログラムを記録した記録媒体であるＤＶＤ−ＲＯＭによって提供される。すなわち、上記所定プログラムの記録媒体としてのＤＶＤ−ＲＯＭが補助記憶装置として制御装置内に内蔵されたＤＶＤ−ＲＯＭ駆動装置に装着され、そのＤＶＤ−ＲＯＭから所定プログラムが読み出されて補助記憶装置としてのハードディスク装置にインストールされる。また、上記所定プログラムは、ＤＶＤ−ＲＯＭ以外の記録媒体（ＣＤ−ＲＯＭ等）や通信回線を介して提供されてもよい。そして、本遊戯用写真作成装置の起動のための操作がなされると、ハードディスク装置にインストールされた所定プログラムは、制御装置内のメモリに転送されてそこに一時的に格納され、制御装置内のＣＰＵによって実行される。これにより、制御装置による上記各部の制御処理が実現される。
【００４１】
＜３．遊戯用写真作成装置における処理手順＞
上述したように、この遊戯用写真作成装置には、撮影ユニット３と編集ユニット４と出力ユニット５とが含まれている。撮影ユニット３では撮影処理が行われ、編集ユニット４では編集処理が行われ、出力ユニット５では出力処理が行われる。なお、或る利用者が撮影ユニット３でプレイしている時に他の利用者は編集ユニット４でプレイし、さらに他の利用者は出力ユニット５で合成画像を出力することができるように構成されている。すなわち、この遊戯用写真作成装置は、撮影処理と編集処理と出力処理とを並行して行うことができる。以下に、撮影処理、編集処理、および出力処理の手順の概要について説明する。
【００４２】
＜３．１  撮影処理＞
図７は、本実施形態における撮影処理の手順を示すフローチャートである。この遊戯用写真作成装置が使用されていない時（プレイが行われていない時）には、撮影操作用タッチパネル２０にはデモ画像が表示されている。デモ画像の表示中に利用者がコイン投入口２６にコインを投入すると、プレイが開始される（ステップＳ１００）。
【００４３】
プレイが開始されると、第１の制御部７０は、利用者による撮影モードの選択を受け付ける（ステップＳ１１０）。ステップＳ１１０では、例えば画質（具体的にはコントラストが高いくっきりとした画質、柔らかなふんわりとした画質、または透明感のあるクールな画質のうちのいずれか）を選択し、明るさを選択し、自動で撮影するか手動で撮影するかを選択し、自動で撮影する場合には撮影用テーマの選択が行われる。この場合、第１の制御部７０は、予め用意された複数の撮影用テーマの中から１つ以上の撮影用テーマを利用者に選択させるための画面を撮影操作用タッチパネル２０に表示し、利用者による選択操作を受け付ける。そして、第１の制御部７０は、利用者の選択操作に基づいて選択情報を取得し、選択された撮影用テーマに基づいて、撮影の際に使用するフレームと背景との組み合わせを決定する。また手動で撮影する場合は、上記フレームと背景とを利用者が自由に決定する。その後、ステップＳ１２０に進み、撮影が行われる。この撮影により、撮影画像データが第１の制御部７０のメモリに格納される。
【００４４】
ステップＳ１３０では、撮影画像に基づいて生成された落書き対象画像（撮影画像を含む画像）が、撮影操作用タッチパネル２０に表示される。詳しくは、ステップＳ１３０の処理が行われる都度、図５に示した撮影操作用タッチパネル２０の落書き対象画像表示領域２０３に落書き対象画像が順次追加表示される。その後、ステップＳ１４０に進み、第１の制御部７０は、予め定められた枚数の撮影が終了したか否かを判定する。判定の結果、当該枚数の撮影が終了していればステップＳ１５０に進み、当該枚数の撮影が終了していなければステップＳ１２０に戻る。なお、実際には撮影のための制限時間（例えば３分）が設けられる。
【００４５】
ステップＳ１５０では、複数の落書き対象画像の中から実際の落書き対象となる画像の（利用者による）選択が行われる。具体的には、第１の制御部７０は、落書きおよび印刷に使用する画像を利用者に選択させるために、落書き対象画像の一覧を撮影操作用タッチパネル２０に表示し、利用者による選択操作を受け付ける。そして、第１の制御部７０は、利用者によって選択された画像を実際の落書き対象画像として第２の制御部８０に送る。ステップＳ１５０の終了後、ステップＳ１６０に進む。ステップＳ１６０では、案内画面の表示が行われる。具体的には、第１の制御部７０は、利用者を編集ユニット４のいずれか（４ａまたは４ｂ）に導くための画面を撮影操作用タッチパネル２０に表示する。これにより、撮影処理が終了する。
【００４６】
＜３．２  編集処理＞
図８は、本実施形態における編集処理の手順を示すフローチャートである。第２の制御部８０が所定のプログラムに基づき図８に示すように動作することで、この編集処理が実現される。この編集処理では、上述した撮影処理の終了後、第２の制御部８０は、ネットワーク（ＬＡＮ）６を介して第１の制御部７０から送られる落書き対象画像（図７のステップＳ１５０で利用者によって選択された画像）を取得する（ステップＳ２００）。その後、タイマー４６が所定の時間（利用者に落書きを許可する時間）に設定され、カウントダウンが開始される（ステップＳ２１０）。
【００４７】
タイマー４６のカウントダウン開始後、編集ユニット４では、利用者による落書き操作（描画操作）が受け付けられる（ステップＳ２２０〜Ｓ２２８）。なお、編集ユニット４では、撮影画像に基づく落書き対象画像に対する編集操作の他に、デコメール画像等の素材画像を作成するための編集操作が受け付けられてもよい。
【００４８】
上記の落書き操作の受け付けでは、まず、編集ユニット４を構成するユニット４ａ（落書きブースＡ）およびユニット４ｂ（落書きブースＢ）のそれぞれにおいて編集操作用タッチパネル４００に表示された操作画面に対し、タッチペン（４つのタッチペン４９Ｌ１、４９Ｌ２、４９Ｒ１、４９Ｒ２）でそれぞれ操作がなされると、その操作位置（タッチされた位置）が検出され、その操作位置を示す座標値が入力座標値として取得される（Ｓ２２０）。なお、ここでは説明の便宜のため、各タッチペンの操作位置は、所定の検出周期毎に順に繰り返し検出され、各入力座標値も順に得られるものとする。また、画面からタッチペンが離されている場合には、入力座標値としてＮＵＬＬ値が得られるものとする。したがって、以下では、本ステップＳ２２０において、或るタッチペンに対応する１つの入力座標値が得られるものとして説明する。
【００４９】
次に、上記入力座標値に対応する当該（一方の）タッチペンと対を成す他方のタッチペンがアクティブであるか否かが判定される（ステップＳ２２２）。ここで対を成すタッチペンとは、左画面用タッチペン４９Ｌ１、４９Ｌ２の一対と、右画面用タッチペン４９Ｒ１、４９Ｒ２の一対である。これら対を成すタッチペン同士は同時に使用できないように制御され、対を成さないタッチペンは同時に使用できるよう制御される。このように対を成すタッチペンが同時に使用できないよう制御されるのは、描画レスポンスを向上させるためである。特に、同一画像に対して異なる描画（例えば或る写真画像にスタンプ画像を貼り付けながらフレーム画像を描画するなどの動作）を行う処理は（演算や描画などの）負荷が大きいため、描画レスポンスが大幅に低下する。したがってこのような処理が行われないよう、対を成すタッチペンを同時に使用できないように制御すれば描画レスポンスを高速に保つことができる。
【００５０】
なお、左画面用タッチペン４９Ｌ１、４９Ｌ２と右画面用タッチペン４９Ｒ１、４９Ｒ２とは異なる利用者で使用されることが予定されているので、同時に使用できないよう制御することは好ましくなく、また異なる画像に対する描画処理であるため、同一の画像に対する描画処理の場合よりも負荷が小さく、場合によってはそれほど描画レスポンスが低下しない。
【００５１】
また、アクティブであるタッチペンとは、対を成すタッチペンよりも先に操作位置を検出された、すなわち現時点まで継続的に操作位置を検出された期間が長い方のタッチペンである。したがって各タッチペンは、その操作位置を検出された時点で、対を成すタッチペンの操作位置が検出されていなければアクティブとなり、検出されていた操作位置が検出されなくなった時点で非アクティブとなる。このことから、ステップＳ２２２における上記判定のために、各タッチペンがアクティブであるか否か（または対を成すタッチペンのいずれがアクティブであるか）は、第２の制御部８０によって継続的に管理される。
【００５２】
上記ステップＳ２２２での判定の結果、対を成す他方のタッチペンがアクティブである場合には、（当該入力座標は破棄されて）警告処理（Ｓ２２４）が実行される。この警告処理は、同時に使用できないタッチペンを使用しようとした（すなわち操作入力を行った）ことを利用者に対して告知する処理である。この警告は、例えばビープ音などの警告音、所定の警告文や表示色の変化などの警告表示、または（タッチペンに内蔵されるバイブレータ装置等により生成される）振動など、およそ利用者において感知可能な態様で行われれば足りる。このような警告処理により、利用者は使用しようとしたタッチペンがアクティブでないことを直ちに知ることができる。
【００５３】
続いて、上記入力座標値に基づき、操作位置が編集操作用タッチパネル４００における左操作画面内か否かが判定される（ステップＳ２２６）。判定の結果、操作位置が左操作画面内である場合には、後述の左操作画面処理（Ｓ２３０）が実行される。
【００５４】
ステップＳ２２６での判定の結果、操作位置が左操作画面内でない場合には、さらに上記入力座標値に基づき、操作位置が編集操作用タッチパネル４００における右操作画面内か否かが判定される（ステップＳ２２８）。判定の結果、操作位置が右操作画面内である場合には、後述の右操作画面処理（Ｓ２４０）が実行される。
【００５５】
ステップＳ２２８での判定の結果、操作位置が右操作画面内でない場合には、タッチペンによる操作が行われなかった（ＮＵＬＬ値を受け取った）ものとして、または上記警告処理（Ｓ２２４）、上記左操作画面処理（Ｓ２３０）、および上記右操作画面処理（Ｓ２４０）のいずれかが実行されたものとして、処理はステップＳ２５８へ進み、タイマー４６に基づき落書き操作の許可時間が終了したか否かが判定される。この判定の結果、落書き許可時間が終了していない場合には、ステップＳ２２０へ戻り、既述のステップＳ２２０以降のステップが実行される。
【００５６】
このようにしてステップＳ２２０〜Ｓ２５８の処理が繰り返し実行されることで上記の落書き操作の受け付けが行われ、その間に落書き時間が０となって、ステップＳ２５８において、落書き操作の許可時間が終了したと判定されると、ステップＳ２６０へ進む。
【００５７】
ステップＳ２６０では、出力される写真の分割パターンの選択が行われる。具体的には、第２の制御部８０は、予め用意された複数の分割パターンの中からいずれかの分割パターンを利用者に選択させるための画面を編集操作用タッチパネル４００に表示し、利用者による選択操作を受け付ける。そして、第２の制御部８０は、利用者の選択操作に基づいて、選択情報を取得する。ステップＳ２６０の終了後、ステップＳ２７０に進む。
【００５８】
ステップＳ２７０では、案内画面の表示が行われる。具体的には、第２の制御部８０は、利用者を出力ユニット５に導くための画面を編集操作用タッチパネル４００に表示する。これにより、編集処理が終了する。次に、上記左操作画面処理（ステップＳ２３０）の詳しい処理内容について、図９を参照して詳しく説明する。
【００５９】
＜３．３  左操作画面処理＞
図９は、編集処理における左操作画面処理（図８のステップＳ２３０）の詳細手順を示すフローチャートである。この左操作画面処理では、まず、図８のステップＳ２２０で取得された入力座標値は、左画面用タッチペン４９Ｌ１、４９Ｌ２のいずれかの操作によるものか否か（左画面用タッチペン４９Ｌ１、４９Ｌ２のいずれかで入力されたものか否か）が判定される（ステップＳ３００）。判定の結果、左画面用タッチペン４９Ｌ１、４９Ｌ２で入力されたものである場合にはステップＳ３１０へ進み、左画面用タッチペン４９Ｌ１、４９Ｌ２で入力されたものでない場合には、左操作画面処理を終了して編集処理のルーチンに戻り、図８のステップＳ２５８へ進む。
【００６０】
ステップＳ３１０では、左操作画面に対して入力操作が行われたものとして扱われ、上記入力座標値に基づき、左操作画面に対して行われた入力操作の種類が決定される（入力操作の識別）。
【００６１】
ステップＳ３１２では、ステップＳ３１０で識別された入力操作がパレット内のツールの操作か否かが判定される。この操作画面内のパレットやツールについては後述する。判定の結果、パレット内のツールの操作である場合にはステップＳ３１４へ進んで、そのツール操作に対応する編集・画像処理が行われ、その後、左操作画面処理を終了して編集処理のルーチンに戻り、図８のステップＳ２５８へ進む。一方、パレット内のツールの操作でない場合にはステップＳ３１６へ進む。
【００６２】
ステップＳ３１６では、ステップＳ３１０で識別された入力操作が上記パレット内のツール以外の（後述する図１０に示す）各種操作ボタン群における操作か否かが判定される。判定の結果、各種操作ボタン群における操作である場合にはステップＳ３１８へ進んで、操作されたボタンの操作に対応する処理が行われ、その後、左操作画面処理を終了して編集処理のルーチンに戻り、図８のステップＳ２５８へ進む。一方、各種操作ボタン群における操作でない場合にはステップＳ３２０へ進む。
【００６３】
ステップＳ３２０では、ステップＳ３１０で識別された入力操作が左操作画面内の後述する落書き領域内における操作か否かが判定される。判定の結果、落書き領域内における操作である場合にはステップＳ３１８へ進んで、操作に対応する落書きや編集・画像処理が行われ、その後、左操作画面処理を終了して編集処理のルーチンに戻り、図８のステップＳ２５８へ進む。一方、落書き領域内における操作でない場合には、上記入力座標値は左操作画面におけるいずれの操作にも対応しないとして、そのまま左操作画面処理を終了して編集処理のルーチンに戻り、図８のステップＳ２５８へ進む。
【００６４】
なお、上述した左操作画面処理の詳細な処理手順は、右操作画面処理の詳細な手順と、「右」と「左」の相違を除けば、同様であって同様の作用を奏するので、その説明を省略する。
【００６５】
＜４．編集操作のための画面構成＞
本実施形態に係る遊戯用写真作成装置は、４つのタッチペン４９Ｌ１、４９Ｌ２、４９Ｒ１、４９Ｒ２を利用者にとって使用しやすくするために、撮影画像に基づいて生成された落書き対象画像（撮影画像を含む画像）に対して落書き等のための編集操作に使用する操作画面にも特徴を有している。そこで以下では、その操作画面を表示する編集操作用タッチパネル４００における表示構成について説明する。
【００６６】
なお、編集操作用タッチパネル４００に対する操作に使用される左画面用タッチペン４９Ｌ１、４９Ｌ２は左操作画面の下方に、右画面用タッチペン４９Ｒ１、４９Ｒ２は右操作画面の下方に、それぞれ対応するポインティングデバイスとして配置されている。
【００６７】
図１０は、落書き処理が行われる際のメイン表示・操作部６２による表示例を示す模式図である。図に示す落書き画面４００は、左操作画面４００Ｌと、右操作画面４００Ｒとに２分割されており、撮影画像およびそれに対する落書き画像が合成された合成画像が表示され仮想的な落書きを行うことができる領域である落書き領域４０１Ｌ、４０１Ｒと、編集指示のためのツール４０５Ｌ、４０５Ｒが複数表示される通常パレット領域４０２Ｌ、４０２Ｒと、ペンの種類を示すツール４０６Ｌ、４０６Ｒが複数表示されるペン専用パレット領域４０３Ｌ、４０３Ｒと、落書きの対象となるべき撮影画像を選択するための第１ないし第４のサムネイル画像表示領域４３１Ｌ、４３１Ｒ〜４３４Ｌ、４３４Ｒと、落書き可能な残り時間を示すタイマー表示領域４５０とが含まれている。
【００６８】
ここで、通常パレット領域４０２Ｌ、４０２Ｒに含まれる編集指示のためのツール４０５Ｌ、４０５Ｒは、落書き画像を構成するスタンプやフレームなどの編集操作の種類を選択可能に表示するものであって、利用者が各種落書きを行うためのツールすなわち（選択された）落書き対象画像に対する各種編集操作の指示のためのツールである。なお以下では、このツールにより占められる領域すなわち選択可能領域をツールとも表現する。
【００６９】
同様に、ペン専用パレット領域４０３Ｌ、４０３Ｒに含まれるペンの種類を指示するためのツール４０６Ｌ、４０６Ｒは、落書き画像に対して文字や絵などを書き込むための（仮想的な）ペンの色や太さなどの編集操作の種類を画像例（サンプル）の形で選択可能に表示されるものである。
【００７０】
また、この通常パレット領域４０２Ｌ、４０２Ｒの近傍には、落書きの種類に応じて、仮想的な落書きペンの種類を選択可能にするためのペンボタン４２１Ｌ、４２１Ｒと、利用者の前景となる小さな画像であるスタンプ画像の種類を選択可能にするためのスタンプボタン４２２Ｌ、４２２Ｒと、撮影画像の周囲近傍を装飾するフレーム画像の種類を選択可能にするためのフレームボタン４２３Ｌ、４２３Ｒと、利用者の背景となる背景画像の種類を選択可能にするための背景ボタン４２４Ｌ、４２４Ｒとが表示されている。利用者Ｕは、左操作画面４００Ｌに対しては対を成す２つのタッチペン４９Ｌ１、４９Ｌ２のいずれかで、これらの各種操作ボタン群の１つを選択する（すなわち表示されたボタン画像上にペン先を接触させる）操作を行うことにより、通常パレット領域４０２Ｌ、４０２Ｒ内に対応する種類の複数の落書きのためのツールが表示される。
【００７１】
なお、上記ペンボタン４２１Ｌ、４２１Ｒを選択した場合に表示されるツールは、ペン専用パレット領域４０３Ｌ、４０３Ｒに表示されるツールと同様の内容となるため、ペンボタン４２１Ｌ、４２１Ｒと、これに対応する上記ツールは省略してもよいが、利用者が対を成す２つのタッチペンに異なるペンの種類を割り当てて使用することもできるため、省略しないことが好ましい。
【００７２】
また、通常パレット領域４０２Ｌ、４０２Ｒの上辺近傍には選択可能な複数のタブ領域４２０Ｌ、４２０Ｒが設けられており、それらのいずれかを選択することにより、選択されるタブ領域に関連づけられた複数のツール４０５Ｌ、４０５Ｒが表示される。例えば、利用者Ｕは、いずれかのタブ領域を選択することにより、６つのタブ領域にそれぞれ６個ずつ対応づけられた合計３６個のスタンプ画像を選択することができる。さらに、ペン専用パレット領域４０３Ｌ、４０３Ｒも同様のタブが設けられており、同様にしてツールを選択することができる。こうして選択されたツールに対応する編集・画像処理がなされる（図９のステップＳ３１２、Ｓ３１４）。
【００７３】
なお、通常パレット領域４０２Ｌ、４０２Ｒおよびペン専用パレット領域４０３Ｌ、４０３Ｒなどのパレット領域とは、複数のツール（または同様の操作コマンドに対応するアイコンなど）を一括して表示する領域であって、かつ予め用意された全てのツールのうち一部が選択的に表示されるよう表示されるツールの一部または全部を入れ替え可能な領域をいう。したがって、複数のツールの一部を選択的に表示する表示手法であれば、上記のように例えば通常パレット領域４０２Ｌ、４０２Ｒにおいて或るタブに対応する複数のツール４０５Ｌ、４０５Ｒを表示する手法の他、所定の方向にスクロールすることにより複数のツール４０５Ｌ、４０５Ｒを表示する手法など、周知の様々な表示手法を使用することができる。
【００７４】
さらに、落書き領域４０１Ｌ、４０１Ｒの近傍には、落書きのための操作の種類に応じて、落書きを終了させるための終了ボタン４１１Ｌ、４１１Ｒと、落書きを全て消去するための全消去ボタン４１２Ｌ、４１２Ｒと、落書きの操作を１回分取り消す（元に戻す）ための１つ戻るボタン４１３Ｌ、４１３Ｒと、背景画像を除く落書き画像を部分的に消去するための消しゴムボタン４１４Ｌ、４１４Ｒと、背景画像を部分的に消去するための背景消しゴムボタン４１５Ｌ、４１５Ｒとが表示されている。
【００７５】
利用者Ｕは、タッチペンでこれらの各種操作ボタン群の１つを選択する操作を行うことにより、操作されたボタン等に対応する所望の動作を行わせることができる（図９のステップＳ３１６、Ｓ３１８）。さらに、利用者Ｕにより通常パレット領域４０２Ｌ、４０２Ｒ内の複数のツール４０５Ｌ、４０５Ｒのうちいずれか、例えば１つのスタンプ画像や落書きペンの種類などが選択されている状態において、左操作画面４００Ｌに対しては左画面用タッチペン４９Ｌ１、４９Ｌ２のいずれかで、右操作画面４００Ｒに対しては右画面用タッチペン４９Ｒ１、４９Ｒ２のいずれかで、落書き領域４０１Ｌ、４０１Ｒ内の所望の位置が選択され、または所望のペンの種類を使用した軌跡が描かれることにより、落書き領域４０１Ｌ、４０１Ｒ内の選択された位置にスタンプ画像が表示され、また所望の軌跡に沿った線が描かれる（図９のステップＳ３２０、Ｓ３２２）。以上のようにして、利用者により落書きが行われる。
【００７６】
なお、前述したように対を成す左画面用タッチペン４９Ｌ１、４９Ｌ２は、同時に使用する（具体的には画面に接触させる操作による指示を入力する）ことができないように制御されており、対を成す右画面用タッチペン４９Ｒ１、４９Ｒ２も同様に同時に使用することができないよう制御されている。しかし、左画面用タッチペン４９Ｌ１、４９Ｌ２のいずれかと、右画面用タッチペン４９Ｒ１、４９Ｒ２のいずれかとはそれぞれ独立に操作を行うことが可能である。すなわち、２人の利用者Ｕのうちの一方が左画面用タッチペン４９Ｌ１、４９Ｌ２のいずれかを把持して行う落書き操作と、その他方が右画面用タッチペン４９Ｒ１、４９Ｒ２のいずれかを把持して行う落書き操作とは互いに無関係に行われるものとする。したがって、一方の利用者が落書きペンを使用して落書きをしているときにも、他方の利用者は別の位置で落書きペンを使用して落書きをしたり、スタンプ画像を使用して落書きをすることなどが可能である。
【００７７】
このことから、各利用者がタッチペン（のペン型入力装置）を１つずつ把持して落書きを行う場合とは異なって、本実施形態のように各利用者がタッチペンを２つずつ使用して落書きを行う場合、例えば一方の利用者が左操作画面４００Ｌに対して左画面用タッチペン４９Ｌ１、４９Ｌ２を持ち替えながら（または両手で１つずつ把持しながら）各種ツールを選択して落書きを行うことになる。この場合、どちらのペンがどちらのパレットのツールを選択した状態となっているか利用者が忘れてしまったり、一方のタッチペンを他方のタッチペンと間違えることによる誤操作を生じることがある。
【００７８】
そこで、本実施形態では、対を成す左画面用タッチペン４９Ｌ１、４９Ｌ２または右画面用タッチペン４９Ｒ１、４９Ｒ２により直前に選択されたツールを識別する表示を付すとともに、対を成すタッチペンのどちらによって選択されたかを識別する表示を併せて付す。以下、図１１を参照してこのような識別表示の例について説明する。
【００７９】
図１１は、通常パレット領域およびペン専用パレット領域において選択された選択ツールを識別する表示例を示す模式図である。この図１１における通常パレット領域４０２Ｌには３行５列に配置された１５個のツール４０５Ｌが表示されており、そのうち１行目かつ２列目のツールには「左ペン」という文字が付され、かつ当該ツールの周囲に太い実線の枠からなる強調枠４５１Ｌが付されている。この「左ペン」という文字は、対を成す左画面用タッチペン４９Ｌ１、４９Ｌ２のうち左側に配置されている左画面用タッチペン４９Ｌ１により当該ツールが選択されたことを示すための識別表示として機能し、強調枠４５１Ｌは、付されているツールが現時点から近い時点である直前の時点で選択され現在選択中である状態すなわち現在アクティブであることを示すための識別表示として機能する。
【００８０】
なお、この識別表示の態様は一例であって、ツールの色を反転させたり、形状を変更したり、アニメーション表示を行うなど、およそ他のツールと識別可能な表示態様であればよい。また、これらの識別表示は、対応するタブが選択されるまで非表示状態であってもよいし、一方のパレット内のツールが選択されると他方のパレット内の上記識別表示が付されたツールが（例えばタブが自動的に切り替わることにより）表示される構成であってもよい。
【００８１】
また、通常パレット領域４０２Ｌ内の３行目かつ４列目のツールには「右ペン」という文字が付され、かつ当該ツールの周囲に点線の枠からなる前回選択枠４５２Ｌが付されている。この「右ペン」という文字は、対を成す左画面用タッチペン４９Ｌ１、４９Ｌ２のうち右側に配置される左画面用タッチペン４９Ｌ２により当該ツールが選択されたことを示すための識別表示として機能し、前回選択枠４５２Ｌは、付されているツールが通常パレット領域４０２Ｌにおいて、現在の選択状態の端緒である直前の選択時点よりさらに１回前である時点で選択されたすなわち前回アクティブであったことを示すための識別表示として機能する。ここで、図１１に示す選択状態から左画面用タッチペン４９Ｌ２で３行目かつ４列目のツールを再度選択すると、上記識別表示は、図１２に示されるように変化する。
【００８２】
図１２は、図１１に示す選択状態から変化した選択ツールを識別する表示の別例を示す模式図である。この図１２における通常パレット領域４０２Ｌ内の３行目かつ４列目のツールには「右ペン」という文字が付され、かつ当該ツールの周囲に太い実線の枠からなる強調枠４５１Ｌが付されている。なお、ここでは左側に配置される左画面用タッチペン４９Ｌ１による選択操作がなされていないため、その他の識別表示は図１１に示す状態から変化していない。
【００８３】
このように、通常パレット領域４０２Ｌとペン専用パレット領域４０３Ｌとのそれぞれで、含まれるツールのいずれかに対して、対を成す左画面用タッチペン４９Ｌ１、４９Ｌ２の操作により現在選択中かまたは前回選択されたかを示す識別表示が付される。このことにより利用者は、上記パレット領域のいずれかにおいてアクティブであるツールを、強調枠４５１Ｌによって容易に識別することができるとともに、アクティブであるツールが含まれていない方のパレット領域においても前回アクティブであったツールを、前回選択枠４５２Ｌによって容易に識別することができる。したがって、どちらのパレットのどのツールを選択した状態となっているか利用者が忘れたり間違えることを防止することができる。また、強調枠または前回選択枠に「左ペン」または「右ペン」の文字が付されることにより、当該強調枠または前回選択枠が左右どちらのタッチペンに対応したものかを容易に識別することができる。
【００８４】
なお、左操作画面４００Ｌおよび右操作画面４００Ｒにおける操作のために１つずつ合計２つのタッチペンのみが備えられる構成である場合、「左ペン」または「右ペン」の文字を付すことによりこれらを識別する必要はない。しかしこの場合であっても、通常パレット領域４０２Ｌとペン専用パレット領域４０３Ｌとのいずれかにアクティブであるツールが含まれているかを識別する必要はあるので、少なくとも強調枠４５１Ｌまたはこれに相当する識別表示が付される構成が好ましい。また、前回アクティブであったツールを識別する必要も同様にあることから、少なくとも前回選択枠４５２Ｌまたはこれに相当する識別表示が付される構成がさらに好ましい。
【００８５】
ここで、このような識別表示は、通常パレット領域４０２Ｌとペン専用パレット領域４０３Ｌとで、どのツールが選択されているか（または前回選択されたか）を識別可能にする表示、すなわち選択されている（または前回選択された）編集操作の種類の表示であれば足りる。よって、必ずしも上記のように当該選択可能領域の近傍に強調枠（または前回選択枠）などの形で付加する必要はなく、図１３に示すように、別の領域として当該識別表示を行うための領域を設ける構成であってもよい。
【００８６】
図１３は、各パレット領域において選択されたツールを識別する表示例を示す模式図である。図１３には、上記強調枠または前回選択枠に相当し同様の機能を有し、対応するタッチペンにより現在または直前に選択されるツールを同一の画像例（サンプル）で表示するための選択ツール表示領域４２５Ｌ１、４２５Ｌ２、４２５Ｒ１、４２５Ｒ２が表示される例が示されている。これら選択ツール表示領域４２５Ｌ１、４２５Ｌ２、４２５Ｒ１、４２５Ｒ２には、対応するパレットにおいて現在選択されまたは直前に選択されたツールを示す画像が示されており、これらのうち現在アクティブであるツールに対応する選択ツール表示領域４２５Ｌ２、４２５Ｒ１には、さらに強調枠が付されている。
【００８７】
なおこの構成において、強調枠が付されていない選択ツール表示領域４２５Ｌ１、４２５Ｌ２、４２５Ｒ１、４２５Ｒ２には、上記のような前回選択枠を付す必要がない。なぜなら、強調枠が付されていない上記選択ツール領域は、対応するパレットがアクティブであったときに強調枠が付されており現時点ではアクティブでないことを意味するので、結局前回選択枠が付されていると同様に前回選択されていたことが識別可能となっているためである。また上記構成において、各パレット内のツールに付された強調枠および前回選択枠は省略されてもよい。
【００８８】
ここで図１３を参照すればわかるように、各選択ツール表示領域４２５Ｌ１、４２５Ｌ２、４２５Ｒ１、４２５Ｒ２は、対応する通常パレット領域４０２Ｌ、４０２Ｒおよびペン専用パレット領域４０３Ｌ、４０３Ｒの近傍に配置されている。したがって、どのパレットにおいてどのようなツールが選択されている状態かまたは前回選択された状態かについて、利用者はその位置関係から直感的に把握することができる。もちろんこれらの位置は離れていてもよく、例えば説明文を付すなどして利用者に上記関連性を把握させる構成であってもよい。
【００８９】
なお、選択ツール表示領域４２５Ｌ１、４２５Ｌ２、４２５Ｒ１、４２５Ｒ２は、対応するタッチペンにより現在または直前に選択されるツールを、当該ツールを示す画像例と同一の画像例（サンプル）で表示するが、当該ツールとの対応関係を利用者が把握できるものであればよく、例えば類似する画像例や、文字による説明などであってもよい。
【００９０】
また、本実施形態において図１１に示す選択状態から図１２に示す選択状態への変化は、上記のようにツールを選択することだけで生じるのではなく、通常パレット領域４０２Ｌとペン専用パレット領域４０３Ｌの範囲内であってこれらのパレット領域に含まれるツール以外の領域、例えばパレットの端部近傍の領域などを左画面用タッチペン４９Ｌ１、４９Ｌ２で触れる（選択する）操作を行うことによっても生じるよう構成されている。この構成により、前回アクティブであったツールをわざわざ選択し直さなくても、例えばパレットの端部近傍などツール以外の領域のいずれかの部分に触れるだけで上記変化が生じるので、利用者にとって操作がより簡単になる。
【００９１】
なお、図１３に示されるように、選択ツール表示領域４２５Ｌ１、４２５Ｌ２、４２５Ｒ１、４２５Ｒ２が設けられる前述の構成でも上記と同様に、当該部分をタッチペンで触れる（選択する）操作を行うことにより、上記変化が生じるように構成されていることが好ましい。そうすれば同様に、利用者にとって操作がより簡単になる。
【００９２】
＜５．効果＞
以上のように本実施形態によれば、通常パレット領域４０２Ｌとの他にペン専用パレット領域４０３Ｌが設けられるため、所望のペン設定を容易に選択できるととともに、通常パレット領域４０２Ｌに対して操作入力を行ってもペン専用パレット領域４０３Ｌには影響が及ばないため、以前に一度選択したペン設定に容易に戻すことができる。
【００９３】
特に、タッチペンにより現在選択中かまたは前回選択されたかを示す識別表示が付されるので、利用者はパレット領域のいずれかにおいてアクティブであるツールを、当該識別表示によって容易に識別することができ、どちらのパレットのどのツールを選択した状態となっているか利用者が忘れたり間違えることを防止することができる。
【００９４】
＜６．変形例＞
＜６．１  主たる第１の変形例＞
上記実施形態では、通常パレット領域４０２Ｌ、４０２Ｒに含まれるツールを選択する場合と、ペン専用パレット領域４０３Ｌ、４０３Ｒに含まれるツールを選択する場合とは、特に差異はない構成となっている。しかし、上記構成とは異なって、ペン専用パレット領域４０３Ｌ、４０３Ｒに含まれるツール（以下このツールを「専用ツール」と呼ぶ）を選択した後、（さらに落書きペンによる文字や絵を描く落書きを行った後に）通常パレット領域４０２Ｌ、４０２Ｒに含まれるツール（以下このツールを「通常ツール」と呼ぶ）を選択する場合、当該選択した通常ツールを連続して使用できないように（一連の操作中に一度しか使えないように）制御する構成も考えられる。
【００９５】
すなわち、上記通常ツールが選択されると当該通常ツールは非選択状態から選択状態へ遷移し、その直前に選択状態であった専用ツールは非選択状態へ遷移するが、落書き領域４０１Ｌ、４０１Ｒにおいて上記通常ツールを使用する操作（例えば当該通常ツールで選択されたスタンプ画像を撮影画像に合成する操作など）を一度行うと、当該通常ツールは直ちに選択状態から非選択状態へ遷移し、ペン専用パレット領域４０３Ｌ、４０３Ｒ内においてその直前に選択状態であった（上記操作時点では既に非選択状態に遷移した）専用ツールは、非選択状態から選択状態へ遷移する。このように専用ツールを一度使用すると自動的に選択状態が遷移する構成により、通常は頻繁に使用される落書きペンに対応する専用ツールを再び選択し直す（または当該パレットの端部近傍などに触れる）操作が必要なくなる。
【００９６】
また、通常ツールを一度選択して使用する（例えばスタンプ画像やフレーム画像を配置する）操作を行った後、当該通常ツールを使用することにより落書き領域４０１Ｌ、４０１Ｒ内に配置された画像に対して、落書きペンを使用して文字などを書き込む処理を行うことが定型的に予定されている通常ツールを使用する場合、専用ツールを再び選択し直すことは、利用者にとって特に煩瑣と感じられる。このような通常ツールの内容について図１４を参照して詳しく説明する。
【００９７】
図１４は、落書き領域内に配置された後に落書きペンを使用することが定型的に予定されているフレーム画像例を示す模式図である。より詳しくは、図１４（ａ）では、メッセージボードと呼ばれるフレーム画像の例が示され、図１４（ｂ）では、プロフィールと呼ばれるフレーム画像の例が示されている。
【００９８】
図１４（ａ）に示されるメッセージボード４６１Ｌは、通常パレット領域４０２Ｌ内の対応する或るツールが選択され、落書き領域４０１Ｌ内に配置する操作が行われる場合に、落書き領域４０１Ｌ内に表示されるフレーム画像であり、日付記載領域４６５Ｌと文字記載領域４６６Ｌとが含まれている。この日付記載領域４６５Ｌには、装置内部の時計機能またはカレンダー機能により与えられる現在の日時を表す文字が自動的に記載される。また、文字記載領域４６６Ｌには、利用者によって文字や絵などが自由に記載される。したがって、利用者はメッセージボード４６１Ｌを（貼り付けるよう）合成した後、直ちに落書きペンを使用して文字を書き込むことが確実であるので、その時に専用ツールを再び選択し直す必要がないことで、利用者にとって操作を確実に簡略なものとすることができる。
【００９９】
また図１４（ｂ）に示されるプロフィール４７１Ｌも、メッセージボード４６１Ｌと同様に落書き領域４０１Ｌ内に表示されるフレーム画像であり、項目記載領域４７５Ｌと文字記載領域４７６Ｌとが含まれる。この項目記載領域４７５Ｌには、予め定められたプロフィールに関連する項目が記載されており、利用者は項目に対応して自らの名前や誕生日などを文字記載領域４７６Ｌに記載する。したがって、利用者はプロフィール４７１Ｌを（貼り付け）合成した後、直ちに落書きペンを使用して文字を書き込むことが確実であるので、その時に専用ツールを再び選択し直す必要がないことで、操作の簡略化を確実に図ることができる。
【０１００】
なお、このように通常ツールを選択して一度使用すると、その前に選択されていた専用ツールが自動的に選択状態に復帰することが利用者に確実に認識されるよう、選択状態であることを示す識別表示など（典型的には強調枠および前回選択枠）も上記選択状態の変化に応じて自動的に変化することが好ましい。
【０１０１】
＜６．２  主たる第２の変形例＞
上記実施形態では、対を成すタッチペン（例えば左画面用タッチペン４９Ｌ１、４９Ｌ２）は、対応する操作画面（例えば左操作画面４００Ｌ）に表示されるパレット（ここでは通常パレット領域４０２Ｌおよびペン専用パレット領域４０３Ｌの双方）に対して操作可能であるが、対を成すタッチペンは、対応する操作画面に表示されるパレットのうち互いに異なるいずれかのパレットに対してのみ操作可能であるように排他的に制御される構成であってもよい。
【０１０２】
例えば、左画面用タッチペン４９Ｌ１は、通常パレット領域４０２Ｌに対して操作可能であって、ペン専用パレット領域４０３Ｌに対して操作可能でないように制御され、左画面用タッチペン４９Ｌ２は、逆に、通常パレット領域４０２Ｌに対して操作可能でなく、ペン専用パレット領域４０３Ｌに対して操作可能であるように制御される構成であってもよい。そうすれば、２種類のパレットと２つのタッチペンとの対応関係が一意に固定される（すなわち互いに干渉しない排他的な関係となる）ため、選択されたツールに付される強調枠を見れば、当該タッチペンにより選択されたツールが直ちに判別される。すなわち、２種類のパレットと２つのタッチペンとの対応関係が一意に固定されているため、選択されたツールに付される強調枠が識別表示されていれば、当該タッチペンにより選択されたツールが直ちに判別されることになる。そのため、左ペンまたは右ペンの識別や前回選択枠による識別表示は不要となる。よって、複数のタッチペンを利用者にとって、さらに使用しやすくすることができる。
【０１０３】
＜６．３  主たる第３の変形例＞
上記実施形態では、通常パレット領域４０２Ｌに含まれるツールまたはペン専用パレット領域４０３Ｌに含まれるツールを非選択状態から選択状態にするためには、対を成す左画面用タッチペン４９Ｌ１、４９Ｌ２のいずれかにより当該ツールを選択する操作を行うか、またはツールである選択可能領域以外の例えばパレットの端部近傍の領域などを触れる（選択する）操作を行うことが必要である。このような操作に対応した制御に代えて、またはこのような制御とともに、新たにアクティブなパレットを切り替えるためのスイッチを、タッチペンのペン型入力装置に設けてもよい。
【０１０４】
このスイッチは、例えばペン型入力装置の先端近傍であって利用者の指が添えられるべき場所近傍に１つが設けられ、一度押下する毎にアクティブなパレットが交互に入れ替わるように制御されてもよいし、２つのパレットに対応した２つが設けられ、一方を押下すると当該スイッチに対応するパレットがアクティブとなり他方が非アクティブとなるよう制御されてもよい。その他、スイッチの操作に応じてアクティブなパレットが決定される構成であればよい。このようなスイッチにより、利用者は手元で簡単にパレットを切り替えることができるのでより操作が容易となる。
【０１０５】
＜６．４  その他の変形例＞
上記実施形態では、当該パレット内における現在の選択状態の端緒である直前の選択時点よりさらに１回前である時点で選択されたツールが前回選択枠４５２Ｌによって識別される構成であるが、この前回選択枠４５２Ｌに代えて、またはこれとともに各タブにより切り替えられるパレット内の当該タブに対応するツール群（以下では単に「ツール群」という）のうち、同一プレイ内において現時点から最も近い時点で選択されたツール（すなわち最後に選択されたツール）を識別するための表示が付される構成であってもよい。
【０１０６】
例えば図１１では、通常パレット領域４０２Ｌに含まれる（予め定められた）多数のツール群のうち、左から２番目のタブ４２０Ｌに対応する１５個のツール群と、専用パレット領域４０３Ｌに含まれる（予め定められた）多数のツール群のうち、左から３番目のタブに対応する９個のツール群とが表示されているが、これらのタブを異なるタブに切り替えると、図１５に示すような識別表示が付される構成であってもよい。
【０１０７】
図１５は、図１１に示す状態から異なるタブに切り替えた場合の識別表示の一例を示す模式図である。この図１５における通常パレット領域４０２Ｌでは右端のタブが選択されており、表示されている１行目かつ１列目のツールには「左ペン」という文字が付され、かつ当該ツール（の画像）には斜線枠４６１Ｌが付されている。また、３行目かつ３列目のツールには「右ペン」という文字が付され、かつ当該ツール（の画像）にも同様に斜線枠４６１Ｌが付されている。
【０１０８】
さらに、専用パレット領域４０３Ｌでも同じく右端のタブが選択されており、表示されている１行目かつ３列目のツールには「右ペン」という文字が付され、３行目かつ２列目のツールには「右ペン」という文字が付され、それぞれのツール（の画像）にも同様に斜線枠４６２Ｌが付されている。
【０１０９】
このように、通常パレット領域４０２Ｌとペン専用パレット領域４０３Ｌとのそれぞれにおける各タブで選択されるツール群に含まれるツールのいずれかに対して、左画面用タッチペン４９Ｌ１、４９Ｌ２の操作により当該タブで選択されたツール群のうち（当該プレイにおいて）最後に選択されたツールを示す識別表示が付される。
【０１１０】
具体的には、第２の制御部８０は、各タブ毎に表示されるべき対応するツール群のうちのどのツールが最後に選択されたかを（操作入力毎に更新しながら）メモリに記憶する。そして、異なるタブが選択される毎に、上記メモリの記憶内容を参照して、選択されたタブに対応する最後に選択されたツールを決定し、当該ツールをバレット内に表示する際に識別表示（ここでは斜線）を付すよう制御する。
【０１１１】
このことにより利用者は、上記パレット領域のいずれかのタブで選択されるツール群のうち以前に（最も近い時点で）アクティブであったツールを、斜線４６１Ｌ、４６２Ｌによって容易に識別することができる。また、「左ペン」または「右ペン」の文字が付されることにより、左右どちらのタッチペンに対応したものかを容易に識別することができる。もちろん各操作画面に１つずつ合計２つのタッチペンが備えられる構成では、このような文字による識別は不要となる。
【０１１２】
また前述したように、落書きのためのツールを切り替えるための前述した各種操作ボタン群の１つを選択する操作を行うと、通常パレット領域４０２Ｌ、４０２Ｒ内に表示されるツールが、当該ボタンに対応する種類のツールに入れ替えられて表示されるので、さらに当該ボタンに対応するツール群毎に上記識別表示がなされてもよい。この場合には、第２の制御部８０は、上記各種操作ボタン毎かつ各タブ毎に、表示されるべき対応するツール群のうちのどのツールが最後に選択されたかをメモリに記憶し、当該記憶内容を参照して適宜の識別表示がなされるよう制御すればよい。なお、ここではペン専用パレット領域４０３Ｌ、４０３Ｒまたはその他の領域がアクティブとなっている場合に各種操作ボタン群の１つを選択する操作を行うと、通常パレット領域４０２Ｌ、４０２がアクティブとなるよう切り替わる構成となっているが、切り替わらない構成であってもよい。
【０１１３】
さらに、上記識別表示が前回選択されたタブを識別するための表示であってもよい。そうすれば、利用者によるタブの選択を容易にすることができる。この場合、上記各種操作ボタン群の１つを選択する操作を行うと、上記前回選択されたタブが自動的に選択状態に遷移し、対応するツール群がパレット内に表示される構成であってもよい。この構成では利用者の操作がさらに簡易となるため好ましい。なお、タブが自動的に選択状態に遷移しない一般的な構成において、利用者がタブの１つを選択する操作を行った場合には、当該タブを含むペン専用パレット領域４０３Ｌ、４０３Ｒまたは通常パレット領域４０２Ｌ、４０２Ｒがアクティブとなり、当該タブに対応するツール群がアクティブとなっているパレット内に表示される。
【０１１４】
さらにまた、第２の制御部８０は、どのツールが最後に選択されたか（およびどのタブが選択されたか）をメモリに記憶するだけでなく、ツール（およびタブ）の選択履歴を全てまたは所定回数分だけメモリに記憶してもよい。この場合には、例えば履歴ボタンなどの操作ボタンを設けてこれを操作画面内に表示し、利用者により当該ボタンが選択される毎に、記憶された履歴を参照して当該選択履歴を１つずつ（または所定回数ずつ）遡るようにツールまたはタブの識別表示を変化させ、または選択状態を変化させる構成であってもよい。
【０１１５】
また、上記斜線４６１Ｌ、４６２Ｌは表示態様の一例であって、強調枠などと同様に、色を反転させたり、形状を変更したり、アニメーション表示を行うなど、およそ他のツールと識別可能な表示態様であればよい。さらに、これらの識別表示に代えて、対応するタブが選択されると当該ツールが自動的に選択状態に遷移する構成であってもよい。
【０１１６】
上記実施形態では、２つの操作画面に、通常パレット領域４０２Ｌ、４０２Ｒおよびペン専用パレット領域４０３Ｌ、４０３Ｒの対応するパレットがそれぞれ１つずつ設けられる構成であるが、各操作画面においてそれぞれの少なくとも一方が２つ以上設けられる構成であってもよい。
【０１１７】
上記実施形態では、通常パレット領域４０２Ｌ、４０２Ｒおよびペン専用パレット領域４０３Ｌ、４０３Ｒ（の或るタブが選択された場合）に含まれるツール群は、図１０などに示されるように一様に（均等な間隔で区分けなく）配置されるが、これらのツール群は２つ以上の異なるグループにさらに分けられて表示されてもよい。例えば２つのグループに分けてそれぞれに説明文を付したり、２つのグループ間に仕切り線を表示する構成や、２つのグループ間を各ツール間の距離よりも離して各ツールを配置する構成など、上記グループが分かれていると利用者が認識可能な態様で表示する構成などが考えられる。なお、上記グループの数は３以上であってもよい。このように表示すれば、表示されるツール群から所望のツールを利用者が選択しやすくなる。
【０１１８】
上記実施形態では、対を成すタッチペン同士を同時に使用できないように制御することにより、描画レスポンスを高速に保つ構成であるが、例えば装置の処理速度が十分に高速である場合、対を成すタッチペン同士を同時に使用できないように制御しない、すなわち４つのタッチペンを同時に使用可能なように制御してもよい。
【０１１９】
上記実施形態では、タッチペンは４つであるが、これより多くてもよい。また同時に使用できないよう制御される対を成すタッチペンは、本実施形態では２つであるが、同時に使用できないよう制御される３つ以上のタッチペンで組を成すように構成してもよい。さらに、対を成すまたは組を成す上記タッチペンにより操作される操作画面は３つ以上であってもよい。また、上記タッチペンに代えて、同時に座標検出可能な周知のポインティングデバイス（例えばトラックボールやカーソルキー、カメラ画像に基づく位置判定など）であってもよい。
【符号の説明】
【０１２０】
３…撮影ユニット
４…編集ユニット
５…出力ユニット
６…ネットワーク（ＬＡＮ）
１０…カメラ
２０…撮影操作用タッチパネル
３０…出力操作用タッチパネル
３５…ネットワークプリンタ
３１…非接触通信ポート（赤外線ポート）
３２…スピーカ
７０…第１の制御部
７２…第１の表示・操作部（撮影操作用タッチパネル）
８０…第２の制御部（ＧＵＩ制御装置）
８１、８２…第２の表示・操作部（編集操作用タッチパネル）
９０…第３の制御部
９１…第３の表示・操作部（出力操作用タッチパネル）
９２…印刷出力部（ネットワークプリンタ）
９４…非接触通信部（赤外線ポート）
４００…編集操作用タッチパネル（ＧＵＩ表示手段）
４９Ｌ１、４９Ｌ２…左画面用タッチペン
４９Ｒ１、４９Ｒ２…右画面用タッチペン
４００Ｌ…左操作画面
４００Ｒ…右操作画面
４０２Ｌ、４０２Ｒ…通常パレット領域
４０３Ｌ、４０３Ｒ…ペン専用パレット領域
４０５Ｌ、４０５Ｒ、４０６Ｌ、４０６Ｒ…ツール
４５１Ｌ…強調枠
４５２Ｌ…前回選択枠
【図１】
0005854161.tif 000002
【図２】
0005854161.tif 000003
【図３】
0005854161.tif 000004
【図４】
0005854161.tif 000005
【図５】
0005854161.tif 000006
【図６】
0005854161.tif 000007
【図７】
0005854161.tif 000008
【図８】
0005854161.tif 000009
【図９】
0005854161.tif 000010
【図１０】
0005854161.tif 000011
【図１１】
0005854161.tif 000012
【図１２】
0005854161.tif 000013
【図１３】
0005854161.tif 000014
【図１４】
0005854161.tif 000015
【図１５】
0005854161.tif 000016